(57)【特許請求の範囲】
【請求項１】
パイプ、チューブ、ケーブル等の棒状体を複数本並列させて保持する棒状体の保持具において、
複数の保持部を互いに並列状態となるように配設した保持基体を有し、
前記保持部は、前記保持基体の保持されるべき棒状体の軸方向に沿った幅全体に亘って立設し、内側に湾曲して、その内面で前記棒状体の周面に密接する一本の棒状体ごとに一対ずつ設けられた保持アームと、この保持アームの上縁から外側に向けて部分的に延出されたテーパ状に開くガイド片とからなり、
前記ガイド片は、前記保持部の隣接するものどうしで干渉しないように互い違いに形成されていることを特徴とする棒状体の保持具。
【請求項２】
パイプ、チューブ、ケーブル等の棒状体を複数本並列させて保持する棒状体の保持具において、
複数の保持部を互いに並列状態となるように配設した保持基体を有し、
前記保持部は、前記保持基体の保持されるべき棒状体の軸方向に沿った幅全体に亘って立設された一対の保持アームと、この保持アームの上縁から部分的に延出されたテーパ状に開くガイド片とからなり、
前記ガイド片は、１つの保持部について見たとき左右で互い違いとなる位置に形成され、かつ、隣り合う保持部どうしでも互い違いとなるように形成されていることを特徴とする棒状体の保持具。
【請求項３】
前記ガイド片は、１つの保持部について見たとき左右対称の位置に形成され、隣り合う保持部どうしで互い違いとなるように形成されている請求項１記載の棒状体の保持具。
【発明の詳細な説明】
【０００１】
【発明の属する技術分野】
本発明は、チューブ若しくはパイプなどの管材、又はケーブルなどの線材からなる棒状体を複数本配列するともに、一定の間隔をおいて平行に保持する棒状体の保持具に関する。
【０００２】
【従来の技術】
従来、例えば、燃料ポンプからインジェクタに至る自動車エンジンのパイピンングにおいて、複数の燃料パイプをフロアーパネルに配管する場合がある。
この場合には、パイプ相互の間隔を維持しつつ各々をフロアーパネルに確実に固定する必要があるとともに、特に、その固定部分が車体の激しい機械的振動に十分耐えうることが重要であって、このような要請に応えるための改良されたパイピング方法が種々提案されている。
【０００３】
例えば、実公平３−１３０２６号公報に開示されたものがある。この一の従来例には、一対の支承壁によって形成される複数の保持部を、縦長の保持基体上で、装着すべきチューブの長手方向に交互にずらして２列に配設した、複数のチューブを固定するためのチューブ保持具が開示されている。これによれば、隣接するチューブ保持部の位置を交互にずらして配置したことにより、チューブ保持部間の間隔を小さくできるものの、各チューブ保持部の軸方向長さが短くなるので、チューブの保持力が不足すると共に、それぞれの保持部が開放的な構造であるため固定の確実さに疑問がある。
【０００４】
そこで、更に改良されたものが実公平４−５４３８６号公報に開示された。この別の従来例には、上記従来例と同様に、装着すべきチューブの長手方向に交互にずらして２列に配設した複数の保持部を有する縦長の保持基体と、この保持基体の一端にヒンジ部を介して連結された縦長の保持カバーとを備え、これら保持基体及び保持カバーの他端がロック機構によって係合するようにされた保持具が提案されている。これによれば、ロック機構により保持カバーが保持基体に固定化されるため、機械的な振動に耐えうる強固な保持具を実現しうる。
【０００５】
【発明が解決しようとする課題】
しかしながら、上記いずれの従来例においても、保持基体上の保持部を、装着すべきチューブの軸方向に交互にずらして２列に配設しているため、保持部の軸方向長さを、保持基体の同方向における幅の半分以下に設定せざるをえない。一方、チューブ等の棒状体を固定する際の保持力は、この保持部の奥行きが短縮するにつれて弱まると考えられる。
従って、このような交互にずらす配置によれば、その保持力を強化するためには保持基体の幅を拡張する必要があり、いずれの従来例によっても大型化が免れず、また、甚だ不経済な構造とならざるをえないという問題があった。
【０００６】
本発明は、上記の問題点に鑑みてなされたもので、その目的は、それぞれの棒状体に対する保持部の長さを保持基体の幅全体にまで拡張することによって、構造的に最大限の保持力を発揮させることを可能とし、しかも保持部どうしの間隔をできるだけ狭めてコンパクト化を図ることができるようにした棒状体の保持具を提供することにある。
【０００７】
【課題を解決するための手段】
上記の課題を解決するために、本発明の第１は、パイプ、チューブ、ケーブル等の棒状体を複数本並列させて保持する棒状体の保持具において、複数の保持部を互いに並列状態となるように配設した保持基体を有し、前記保持部は、前記保持基体の保持されるべき棒状体の軸方向に沿った幅全体に亘って立設し、内側に湾曲して、その内面で前記棒状体の周面に密接する一本の棒状体ごとに一対ずつ設けられた保持アームと、この保持アームの上縁から外側に向けて部分的に延出されたテーパ状に開くガイド片とからなり、前記ガイド片は、前記保持部の隣接するものどうしで干渉しないように互い違いに形成されていることを特徴とする棒状体の保持具を提供するものである。
【０００８】
本発明の第２は、パイプ、チューブ、ケーブル等の棒状体を複数本並列させて保持する棒状体の保持具において、複数の保持部を互いに並列状態となるように配設した保持基体を有し、前記保持部は、前記保持基体の保持されるべき棒状体の軸方向に沿った幅全体に亘って立設された一対の保持アームと、この保持アームの上縁から部分的に延出されたテーパ状に開くガイド片とからなり、前記ガイド片は、１つの保持部について見たとき左右で互い違いとなる位置に形成され、かつ、隣り合う保持部どうしでも互い違いとなるように形成されていることを特徴とする棒状体の保持具を提供するものである。
【０００９】
本発明の第３は、前記第１の発明において、前記ガイド片は、１つの保持部について見たとき左右対称の位置に形成され、隣り合う保持部どうしで互い違いとなるように形成されている棒状体の保持具を提供するものである。
【００１０】
本発明の第１によれば、保持部を構成する保持アームが、保持基体の保持されるべき棒状体の軸方向に沿った幅全体に亘って立設されているので、棒状体の軸方向に沿って最大限に長い範囲で保持することができ、保持具を大きくすることなく、棒状体の保持力を高めることができる。
【００１１】
また、保持具の上縁に形成されたガイド片が、保持部の隣接するものどうしで干渉しないように互い違いに形成されているので、棒状体を保持具に挿入するときガイド片が開いても、隣り合うガイド片どうしで干渉することがなく、複数の棒状体を並列させて一度に挿入することが可能であり、しかも保持部をできるだけ密に配列して、保持具をコンパクト化することができる。
【００１２】
本発明の第２によれば、ガイド片は、１つの保持部について見たとき左右で互い違いとなる位置に形成され、かつ、隣り合う保持部どうしでも互い違いとなるように形成されているので、棒状体がやや斜めに挿入されても、ガイド片の間に受け入れやすくなり、棒状体の挿入が容易となる。
【００１３】
本発明の第３によれば、ガイド片は、１つの保持部について見たとき左右対称の位置に形成され、隣り合う保持部どうしで互い違いとなるように形成されているので、異なる太さ又は重さを有する複数の棒状体を同時に収納するときに、その太さなどに合わせて各ガイド片の長さを変更しても、１つの保持部における一対のガイド片は対称で同じ長さになるので、棒状体の両側に当接する一対のガイド片の押圧力のバランスを保つことができる。
【００１４】
【発明の実施の形態】
以下、本発明の実施の形態を図面を参照して説明する。
図１及び図２は、本発明による棒状体の保持具の第１実施形態を示す図であって、図１は正面図であり、図２は平面図である。
この第１実施形態は、複数の保持部１０・・１０を有する縦長の保持基体２０と、この保持基体２０の一端にヒンジ４０を介して連結された同じく縦長の保持カバー３０とを備えており、これら保持基体２０及び保持カバー３０は、その他端で互いに係合するフックからなるロック機構５０ａ，５０ｂにより係止可能とされ、それによって棒状体の保持具を構成している。
【００１５】
保持基体２０及び保持カバー３０は、好ましくは全体を合成樹脂で一体成形されており、それによって十分な強度を付与すると共に、量産性に富む安価な製品とすることができる。
保持基体２０には、棒状体（２点鎖線）６０を保持する複数の保持部１０・・１０を、保持基体２０の保持すべき棒状体の軸方向に沿った幅Ｗ全体にわたって延設するとともに、互いに並列状態となるように配設してある。
【００１６】
また、保持カバー３０には、それぞれの保持部１０・・１０に対向する複数の突起部３１・・３１を設けてあるため、この突起部３１によって、保持部１０に固定してある棒状体６０が振動などにより自ら飛び出すことを防止している。
従って、このような保持部１０に棒状体６０を収納することによって、自らの位置関係が安定に保たれ、かつ、複数の保持部１０・・１０を相互平行に配列したことによって、以後、複数の棒状体６０・・６０を互いに一定の間隔で維持しつつ保持基体２０に固定することができる。
【００１７】
それぞれの保持部１０・・１０には、左右一対の保持アーム１１・・１１を相互平行に対向配置するとともに、これら保持アーム１１・・１１を保持基体２０の幅Ｗ全体にわたって延設してある。
このため、一対の保持アーム１１，１１によって囲まれる内部に、棒状体６０を収容するための保持空間１２が形成され、この保持空間１２の上側に、保持カバー３０に対向する開口部が開設されている。
従って、本発明の棒状体の保持具によれば、保持基体２０の横幅Ｗが狭い構造のものであっても、その横幅Ｗ全体を最大限に活用することによって、保持部１０の保持力を構造上効率的に高めることができる。
【００１８】
図３は、図１における保持基体の一部を拡大して示す部分拡大図であって、図３（ａ）は、棒状体を保持空間内に収容する前の状態を示すものであり、図３（ｂ）は、棒状体が収容されつつある状態を示すものである。
図３（ａ）に示すそれぞれの保持空間１２・・１２では、保持アーム１１・・１１の互いに対向する内面１３・・１３を内側に湾曲させることによって、この内面１３・・１３が棒状体６０の周面６１に密接するようにしている。
【００１９】
一対の保持アーム１１，１１には、保持カバー３０に対向してテーパ状に開く一対のガイド片１４，１４を、それぞれの保持アーム１１，１１の上縁に部分的に設けてある。
このため、保持すべき棒状体６０を、図３（ｂ）に示す通り一対のガイド片１４，１４の内側斜面１５，１５に沿って移動させうるので、この棒状体６０を保持空間１２内に円滑に、かつ安定して導入することができる。
【００２０】
図２に示すように、一対のガイド片１４，１４は、１つの保持部１０において左右対称の位置に形成され、しかも隣り合う保持部１０どうしで互い違いとなるように形成されている。
このため、各保持部１０，１０に各１つの棒状体６０，６０を同時に挿入する際に、隣接する２つの保持アーム１１，１１が棒状体６０，６０に押し広げられて傾いても、隣接するガイド片１４が互いに接触しないので、その挿入作業が円滑に遂行できるとともに、接触による機械的な変形や損傷をも回避することができる。したがって、保持部１０，１０の間隔を最大限に狭めて、保持具をコンパクト化することができる。
【００２１】
また、それぞれのガイド片１４は、隣接する保持部１０のガイド片１４がない部分に相当する長さで形成されているので、ガイド片１４の長さもできる限り長くして、棒状体６０の挿入を安定してガイドできるようにしている。
【００２２】
更に、この第１実施形態では、一対のガイド片１４，１４が、１つの保持部１０において左右対称の位置に形成されているので、異なる太さ又は重さを有する複数の棒状体６０，６０を同時に保持させるときに、その太さなどに合わせて各ガイド片１４，１４の長さを変更しても、１つの保持部１０における一対のガイド片１４，１４は対称で同じ長さになるので、棒状体６０の両側に当接する一対のガイド片１４，１４の押圧力のバランスを保つことができる。
【００２３】
次に、本発明による第２実施形態について説明する。
図４は、本発明による棒状体の保持具の第２実施形態の一例を示す平面図である。
この第２実施形態では、各保持部１０を構成する一対の保持アーム１１，１１が、保持基体２０の幅Ｗ全体に亘って形成されており、各保持アーム１１の上縁に部分的に形成された各ガイド片１４が、１つの保持部１０について見たとき、軸方向にずらして左右で互い違いとなる位置に形成され、かつ、隣り合う保持部１０どうしでも互い違いとなるように形成されている。
【００２４】
この第２実施形態によれば、一対の保持アーム１１，１１の上縁に形成されたガイド片１４、１４が、軸方向にずらして対角線上に配置されているので、例えば、棒状体６０が図４中のＡで示すように傾いて挿入された場合でも、一対のガイド片１４，１４間に受け入れて、その傾斜を矯正しつつ、一対の保持アーム１１，１１間に導くことができる。
【００２５】
なお、前記各実施形態では、一対の保持アーム１１，１１の上縁に、ガイド片１４，１４が１個ずつ形成された例となっているが、各保持アーム１１，１１の上縁に複数のガイド片１４が分割されて形成されていてもよい。その場合も、隣接する保持部１０どうしでガイド片１４が干渉しないように、ガイド片１４を交互に配置することにより、本発明の効果を得ることができる。
【００２６】
【発明の効果】
以上説明したように、本発明による棒状体の保持具によれば、保持部を構成する一対の保持アームを、保持基体の、保持すべき棒状体の軸方向に沿った幅全体に亘って形成してあるので、複数の棒状体を一定間隔で保持しうることはもとより、保持アームの上記軸方向における長さを構造上最大限にして、保持力をできるだけ高めることができる。
【００２７】
また、隣り合う保持部間において隣接するガイド片を、互い違い状態となるように配置してあるため、これら保持部に棒状体を同時に挿入しても、２つのガイド片が接触することなく挿入作業が円滑に遂行でき、かつ、接触による機械的な変形や損傷を防止することができ、かつ、保持部の間隔をできるだけ狭めて保持具をコンパクト化することができる。
【図面の簡単な説明】
【図１】本発明による第１実施形態の一例を示す正面図である。
【図２】本発明による第１実施形態の一例を示す平面図である。
【図３】図２における保持基体の一部を拡大した部分拡大図であって、図３（ａ）は、棒状体を保持部に導入する前の状態を示すものであり、図３（ｂ）は、棒状体が導入された後の状態を示すものである。
【図４】本発明による第２実施形態の一例を示す平面図である。
【符号の説明】
１０  保持部
１１  保持アーム
１２  保持空間
２０  保持基体
３０  保持カバー
３１  突起部
４０  ヒンジ
５０ａ，５０ｂ  ロック機構
６０  棒状体
【図１】
0003742186.tif 000002
【図２】
0003742186.tif 000003
【図３】
0003742186.tif 000004
【図４】
0003742186.tif 000005